(57)【要約】【課題】手摺りやパイプ等の平坦で無い所であっても、安定して設置し得る鳥類飛来防止装置を提供する。【解決手段】相互に離間して配設される複数の支柱１，１の間にワイヤＷを架設して鳥類の飛来を防止する鳥類飛来防止装置に於て、支柱１，１は、結束バンドＢを挿通するための一対の窓部４，４を備える側面視アーチ形状のベース部２と、ベース部２に鉛直状に立設されワイヤＷが懸架されるポール部３とを、備え、ベース部２は、１枚の金属板片の塑性加工によって、水平状の内突片部２１，２１が一体に形成されている。【選択図】図１
2014161281.tif 000002
【特許請求の範囲】
【請求項１】
相互に離間して配設される複数の支柱（１）（１）の間にワイヤ（Ｗ）を架設して鳥類の飛来を防止する鳥類飛来防止装置に於て、
上記支柱（１）（１）は、結束バンド（Ｂ）を挿通するための一対の窓部（４）（４）を備える側面視アーチ形状のベース部（２）と、該ベース部（２）に鉛直状に立設され上記ワイヤ（Ｗ）が懸架されるポール部（３）とを、備え、
上記ベース部（２）は、１枚の金属板片（１０）の塑性加工によって、水平状の内突片部（２１）（２１）が一体に形成されていることを特徴とする鳥類飛来防止装置。
【請求項２】
上記ベース部（２）は、上記内突片部（２１）（２１）の外端がアール形状の角部（１４）（１４）を成すように折曲げられている請求項１記載の鳥類飛来防止装置。
【請求項３】
上記ベース部（２）は、下端部（１２）の４箇所に当り小突部（５）を備えている請求項１又は２記載の鳥類飛来防止装置。
【請求項４】
上記ベース部（２）は、上記ポール部（３）が固着される橋絡片部（２０）を有し、該橋絡片部（２０）の左右方向中間位置に幅広部（２０Ａ）が形成されている請求項１，２又は３記載の鳥類飛来防止装置。
【請求項５】
上記内突片部（２１）（２１）には、上下方向に貫通する取付用の孔部（９）が複数個形成されている請求項１，２，３又は４記載の鳥類飛来防止装置。
【発明の詳細な説明】
【技術分野】
【０００１】
本発明は、鳥類飛来防止装置に関する。
【背景技術】
【０００２】
従来、鳥類による公害を防止するため、各種建造物に複数の支柱を設置し、この支柱の間にワイヤを架け渡して鳥類が止まるのを防止する鳥類飛来防止装置が知られている（特許文献１参照）。
【先行技術文献】
【特許文献】
【０００３】
【特許文献１】特開２００３−３１０１３８号公報
【発明の概要】
【発明が解決しようとする課題】
【０００４】
しかし、従来の鳥類飛来防止装置は、支柱を支持する取付金具の底面が平面状である為、階段の手摺りやパイプ等の平坦で無い所には設置できないという欠点があった。取付金具の底面と手摺りやパイプ等の弯曲面が当接した状態では、支柱を安定して固定するのは至難であった。弯曲面上で支柱を安定させるために結束バンドを必要以上に強い力で締付けると、取付金具が塑性変形する、又は、結束バンドに過大な力が掛かって疲労により破断する虞れがあった。
【０００５】
そこで、本発明は、手摺りやパイプ等の平坦で無い所であっても、安定して設置し得る鳥類飛来防止装置を提供することを目的とする。
【課題を解決するための手段】
【０００６】
本発明に係る鳥類飛来防止装置は、相互に離間して配設される複数の支柱の間にワイヤを架設して鳥類の飛来を防止する鳥類飛来防止装置に於て、上記支柱は、結束バンドを挿通するための一対の窓部を備える側面視アーチ形状のベース部と、該ベース部に鉛直状に立設され上記ワイヤが懸架されるポール部とを、備え、上記ベース部は、１枚の金属板片の塑性加工によって、水平状の内突片部が一体に形成されているものである。
【０００７】
また、上記ベース部は、上記内突片部の外端がアール形状の角部を成すように折曲げられているものである。
また、上記ベース部は、下端部の４箇所に当り小突部を備えているものである。
また、上記ベース部は、上記ポール部が固着される橋絡片部を有し、該橋絡片部の左右方向中間位置に幅広部が形成されているものである。
また、上記内突片部には、上下方向に貫通する取付用の孔部が複数個形成されているものである。
【発明の効果】
【０００８】
本発明の鳥類飛来防止装置によれば、階段の手摺りやパイプ等にも支柱を安定して設置でき、鳥類が飛来して止まることを確実に防ぐことができる。支柱のベース部は、弯曲面に安定して載置することができ、手摺りやパイプ等に容易に固定できる。ベース部は、水平状の内突片部によって、結束バンドの締付力を広い面積をもって受けることができ、支柱の安定性を向上できる。従って、設置作業の能率が著しく向上し、作業時間を短縮できる。また、ベース部が、１枚の金属板片からプレス加工（塑性加工）によって形成される為、少ない工程で、かつ、安価に、低コストで容易に製造できる。
【図面の簡単な説明】
【０００９】
【図１】本発明の実施の一形態を使用状態で示した斜視図である。
【図２】支柱の一例を示した側面図である。
【図３】支柱を示した正面図である。
【図４】支柱を示した説明図であり、（ａ）は平面図であり、（ｂ）は拡大断面図である。
【図５】支柱の他の例を示した側面図である。
【図６】支柱の別の例を示した側面図である。
【図７】支柱のさらに他の例を示した側面図である。
【図８】１枚の金属板片からプレス加工によってベース部を形成する説明用斜視図である。
【発明を実施するための形態】
【００１０】
以下、実施の形態を示す図面に基づき本発明を詳説する。
図１に示すように、本発明の鳥類飛来防止装置は、相互に離間して配設される複数の支柱１，１を備え、この支柱１，１の間に架設されるワイヤＷを具備している。本発明の鳥類飛来防止装置は、階段の手摺り、又は、建築現場で使用されるパイプ、あるいは、圧力をかけた液体・気体を流通するための配管等に設置され、鳥類が止まるのを阻止して、鳥類による公害を防止する。
支柱１，１は、結束バンドＢを挿通するための一対の窓部４，４を備える側面視アーチ形状のベース部２と、ベース部２に鉛直状に立設されワイヤＷが懸架されるポール部３とを、備えている。
支柱１，１は、ＳＵＳ３０４（ステンレス鋼）から成る。支柱１，１は、所定の等間隔に設置するのが望ましく、例えば、２ｍ毎に相互に離間して直線状、あるいは、コの字状に並べて設けられる。支柱１，１は、手摺り等に、結束バンドＢをもって締付けられて固着される。なお、支柱１，１を平面に固定する場合は、後述の取付用の孔部９にビス又はボルト等を挿通して固着することも可能である。
ポール部３は、細長い棒状であって、上端部近傍と中間高さ位置の複数箇所（２箇所）に、穿孔３ａ，３ｂが設けられている。ワイヤＷ，Ｗは、一の支柱１の穿孔３ａ，３ｂに挿通され、他の支柱１にスプリング４０を介して穿孔３ａ，３ｂに掛着して取付けられ、異なる高さ位置に平行に複数本（２本）架設されている。なお、ポール部３の穿孔３ａ，３ｂの数は増減自由であり、１個、あるいは、３〜６個とすることもできる。複数本のワイヤＷ，Ｗを低位置から高位置にわたって設けることで、小型の鳥に強力に対応することができる。
【００１１】
図１〜図４と、図８に示すように、ベース部２は、１枚の金属板片１０のプレス加工（塑性加工）によって、水平状の内突片部２１，２１が一体に形成されている。
側面視に於て、ベース部２は、鉛直状の脚片部２２，２２を有し、かつ、脚片部２２，２２の上端に連設され所定の勾配をもって傾斜する中間連結部２３，２３を有している。中間連結部２３，２３は、プレス加工によって打ち抜かれ、窓部４，４を開口している。この窓部４，４形成の際、打ち抜かれた部分は切り落とされることなく、脚片部２２，２２の上端部から（直角に）折曲げて（水平状の）内突片部２１，２１として残留している。ベース部２の上端部１１は、中間連結部２３，２３に（左右両端部にて）連設された水平状の橋絡片部２０をもって構成されている。ベース部２の上端部１１（橋絡片部２０）には、ポール部３が固着されている。ポール部３の軸心Ｌ０は、ベース部２の平面視中央位置に配設され、図２〜図４に示すように、橋絡片部２０に貫設した雌ねじ孔に螺着してナットで締付けるも好ましく、又は、橋絡片部２０に直に溶着しても良い。
ベース部２は、弯曲面上に安定して設置可能であって、１枚の金属板片１０を（塑性加工により）打抜くと共に折曲げて、水平状の内突片部２１，２１が一体に形成されている。
【００１２】
図２と図４（ｂ）に示すように、内突片部２１，２１は、その外端がアール形状の角部１４，１４を成すように折曲げられている。
内突片部２１，２１は、外端部が脚片部２２，２２の上端部に（連設されて）固定され、内端部は相互に離間して隙間が空いて、片持梁状となっている。
内突片部２１，２１には、プレス加工によって、（上下方向に貫通する）取付用の孔部９が複数個形成されている。図４に示すように、全ての孔部９は、平面視で、窓部４，４から見える位置に配設されている。
【００１３】
ベース部２は、下端部１２の４箇所に当り小突部５を備えている。
図３に示すように、小突部５，５は、各脚片部２２の左右両端部に（下向きに）突設されている。小突部５，５は、所定の幅寸法にわたって形成され、図１の使用状態下では、上記手摺り等に４箇所で当接して支柱１を支持している。
【００１４】
図４に示すように、橋絡片部２０の左右方向中間位置には、幅広部２０Ａが形成されている。
幅広部２０Ａは、（橋絡片部２０の左右方向中間位置に固着された）ポール部３の軸心Ｌ０を中心とした円弧状に膨出するように形成されている。幅広部２０Ａによって、橋絡片部２０を補強し、ワイヤＷとポール部３の荷重を支える箇所の強度と剛性が向上している。
【００１５】
上述した本発明の鳥類飛来防止装置の使用方法（作用）について説明する。
図１に示すように、ベース部２を手摺りの上に設置して、結束バンドＢを窓部４，４に挿通して手摺りに巻き付ける。この際、結束バンドＢは窓部４，４の左右どちらかに寄せて、中央部を空けておくのが望ましい。結束バンドＢの一端を引っ張りながら係止具にて係止して、ベース部２を締付けて固定する。この際、結束バンドＢは、内突片部２１，２１に当接（圧接）し、締付力を広い面積に適度な強度の押圧力として伝達する。また、角部１４，１４がアール形状であるため、結束バンドＢに力が集中せず、強く締付けた場合であっても、破断の危険性は極めて低い。
【００１６】
ベース部２は、４箇所の小突部５，５，５，５をもって手摺りに当接し、締付力を集中的に（４点で）支持しており、手摺りに凹凸があってもガタつくことなく、また、滑り等を防止して、安定して設置される。
次に、ポール部３をベース部２に螺着して、ペンチ等の工具を用いてナットをしっかりと締付ける。ポール部３の２つの穿孔３ａ，３ｂに、ワイヤＷを通して輪を作り、スリーブをカシめて止める。ワイヤＷの輪をスプリング４０に引っ掛けて、他のポール部３の穿孔３ａ，３ｂにスプリング４０を掛けて取付け、２本のワイヤＷを架設する。なお、穿孔３ａ，３ｂ及びワイヤＷを３〜６個（本）とするも望ましい。このように、ワイヤＷを複数本設けることで、例えば、ハトのような比較的大きな鳥と、スズメのような比較的小さな鳥と、の両方の飛来を防止できる。ベース部２は、橋絡片部２０に幅広部２０Ａを形成して補強されている為、ポール部３の保持強度が向上し、ワイヤＷ又はポール部３に外力が付加された際に、変形することなくポール部３を強固に支持する。
なお、図示省略するが、支柱１を平面に設置する場合には、ビスを用い、複数個の孔部９にビスを挿通して、ベース部２を固着する。
【００１７】
なお、本発明は、設計変更可能であって、例えば、図５に示すように、ベース部２は、側面視で、半円弧型のアーチ形状であっても良い。また、ベース部２の別の例として、図６に示すように、中間連結部２３，２３が直角に折曲げられた形状とするも好ましい。さらに他の例としては、図７に示すように、脚片部２２，２２の上端から中間連結部２３，２３を水平状に折曲げて、内突片部２１，２１と中間連結部２３，２３を同一平面状に形成しても良い。何れの形状に於ても、側面視アーチ形状のベース部２は、弯曲面上に安定して設置可能である点、及び、１枚の金属板片１０を、プレス加工によって、打抜くと共に折曲げて、水平状の内突片部２１，２１が一体に形成されている点では、同じ構成を有している。
【００１８】
以上のように、本発明に係る鳥類飛来防止装置は、相互に離間して配設される複数の支柱１，１の間にワイヤＷを架設して鳥類の飛来を防止する鳥類飛来防止装置に於て、支柱１，１は、結束バンドＢを挿通するための一対の窓部４，４を備える側面視アーチ形状のベース部２と、ベース部２に鉛直状に立設されワイヤＷが懸架されるポール部３とを、備え、ベース部２は、１枚の金属板片１０の塑性加工（プレス加工）によって、水平状の内突片部２１，２１が一体に形成されているので、階段の手摺りやパイプ等にも支柱１，１を安定して設置でき、鳥類が飛来して止まることを確実に防ぐことができる。支柱１のベース部２は、弯曲面に安定して載置することができ、手摺りやパイプ等に容易に固定できる。ベース部２は、水平状の内突片部２１，２１によって、結束バンドＢの締付力を広い面積をもって受けることができ、支柱１の安定性を向上できる。従って、設置作業の能率が著しく向上し、作業時間を短縮できる。また、ベース部２が、１枚の金属板片１０から塑性加工によって形成される為、少ない工程で、かつ、安価に、低コストで容易に製造できる。
【００１９】
また、ベース部２は、内突片部２１，２１の外端がアール形状の角部１４，１４を成すように折曲げられているので、結束バンドＢを強く締付けた場合であっても、結束バンドＢに傷を付けることが少なく、破断させることなく長期間にわたって設置できる。
【００２０】
また、ベース部２は、下端部１２の４箇所に当り小突部５を備えているので、結束バンドＢの締付力を４点で集中的に支持し、凹凸のあるパイプ等の表面にガタツキなく固定され、支柱１の安定性を向上できる。
【００２１】
また、ベース部２は、ポール部３が固着される橋絡片部２０を有し、橋絡片部２０の左右方向中間位置に幅広部２０Ａが形成されているので、ポール部３の保持強度が向上し、ベース部２は、変形することなく確実にポール部３を支持できる。しかも、内突片部２１，２１の部分的打抜き加工と同時に橋絡片部２０が形成可能である。
【００２２】
また、内突片部２１，２１には、上下方向に貫通する取付用の孔部９が複数個形成されているので、支柱１を平面に容易に設置することができる。即ち、支柱１は、手摺りやパイプ等の弯曲面と、平面のいずれにも対応して設置することができる。
【符号の説明】
【００２３】
１  支柱
２  ベース部
３  ポール部
４  窓部
５  当り小突部
９  孔部
１０  金属板片
１２  下端部
１４  角部
２０  橋絡片部
２０Ａ  幅広部
２１  内突片部
Ｗ  ワイヤ
Ｂ  結束バンド
【図１】
2014161281.tif 000003
【図２】
2014161281.tif 000004
【図３】
2014161281.tif 000005
【図４】
2014161281.tif 000006
【図５】
2014161281.tif 000007
【図６】
2014161281.tif 000008
【図７】
2014161281.tif 000009
【図８】
2014161281.tif 000010